(57)【特許請求の範囲】
【請求項１】
原稿に対して光を照射する光源装置を有している画像読み取り装置であって、
前記光源装置は、
第１の光源及び第２の光源と、
前記第１の光源及び前記第２の光源を覆い、かつ、内周面に鏡面が施されており、前記第１の光源が放射した第１の光と前記第２の光源が放射した第２の光とを合成して第３の光を生成する筐体と、
前記筐体に取り付けられ、所定方向に延在している第１の導光体であって、該第１の導光体の一方の端部から入射してくる前記第３の光を前記原稿に対して照射する第１の導光体と、
前記筐体に取り付けられ、前記所定方向に延在している第２の導光体であって、該第２の導光体の一方の端部から入射してくる前記第３の光を前記原稿に対して照射する第２の導光体と、
を備えており、
前記第１の光源は、前記原稿の法線方向から平面視したときに、前記第１の導光体と前記第２の導光体との中間に位置する中間線に対して対称に前記第１の光を放射し、
前記第２の光源は、前記原稿の法線方向から平面視したときに、前記中間線に対して対称に前記第２の光を放射し、
前記第１の導光体に入射する前記第３の光の成分及び光の量と、前記第２の導光体に入射する前記第３の光の成分及び光の量とは等しいこと、
を特徴とする画像読み取り装置。
【請求項２】
前記筐体は、前記原稿の法線方向から平面視したときに、前記中間線に対して対称な構造を有していること、
を特徴とする請求項１に記載の画像読み取り装置。
【請求項３】
前記光源装置は、
第１の主面及び第２の主面を有する基板を、
更に備えており、
前記第１の光源は、前記第１の主面に実装され、
前記第２の光源は、前記第２の主面に実装されていること、
を特徴とする請求項１又は請求項２のいずれかに記載の画像読み取り装置。
【請求項４】
前記光源装置は、
第１の基板及び第２の基板を、
更に備えており、
前記第１の光源は、前記第１の基板の表面に実装され、
前記第２の光源は、前記第２の基板の表面に実装され、
前記第１の基板及び前記第２の基板は、該第１の基板の裏面と該第２の基板の裏面とが対向するように設けられていること、
を特徴とする請求項１又は請求項２のいずれかに記載の画像読み取り装置。
【請求項５】
前記光源装置は、
前記第１の基板の裏面と前記第２の基板の裏面との間に設けられている放熱部材を、
更に備えていること、
を特徴とする請求項４に記載の画像読み取り装置。
【発明の詳細な説明】
【技術分野】
【０００１】
本発明は、画像読み取り装置に関し、特に、原稿に対して光を照射する光源装置を備えている画像読み取り装置に関する。
【背景技術】
【０００２】
従来の画像読み取り装置としては、例えば、特許文献１に記載の画像読み取り装置が知られている。図８は、特許文献１に記載の画像読み取り装置５００の構成図である。
【０００３】
画像読み取り装置５００は、プラテンガラス５０２、光源装置５０４、ミラー５０６，５０８，５１０、結像レンズ５１２及びラインセンサ５１４を備えている。プラテンガラス５０２上には原稿Ｐが載置される。光源装置５０４は、図示しない２つのＬＥＤ及び導光体５１６ａ，５１６ｂを有している。２つのＬＥＤはそれぞれ、対応する導光体５１６ａ，５１６ｂに対して光を入射させる。導光体５１６ａ，５１６ｂは、棒状の導光体であり、原稿Ｐに対して２方向から光を照射する。ミラー５０６，５０８，５１０は、原稿Ｐにて反射した光を反射して結像レンズ５１２へと導く。結像レンズ５１２は、入射してくる光をラインセンサ５１４の受光面に結像する。これにより、原稿Ｐの画像が読み取られる。
【０００４】
ところで、特許文献１に記載の画像読み取り装置５００では、読み取った画像に色むらが発生するという問題がある。図９は、特許文献１に記載の画像読み取り装置５００にて発生する問題を説明するための説明図である。
【０００５】
画像読み取り装置５００において、ミラー５０８とミラー５１０とは、これらの鏡面が直交するように配置されている必要がある。ところが、画像読み取り装置５００の製造ばらつきにより、ミラー５０８とミラー５１０とは、図９に示すように、これらの鏡面が直交する状態からわずかにずれた状態で配置されてしまうことがある。この場合には、ラインセンサ５１４に入射する光がミラー５０６において反射する位置は、原稿Ｐの右側を読み取っているときと原稿Ｐの左側を読み取っているときとで異なってしまう。より詳細には、図９では、原稿Ｐの右側を読み取っているときには、ミラー５０６の位置ｐ１にて反射した光がラインセンサ５１４に入射している。一方、原稿Ｐの左側を読み取っているときには、位置ｐ１よりも下側に位置するミラー５０６の位置ｐ２にて反射した光がラインセンサ５１４に入射している。このように、ミラー５０６において光が反射する位置がばらつくと、以下に説明するように、画像読み取り装置５００により読み取った画像に色むらが発生する。
【０００６】
画像読み取り装置５００では、２つの白色ＬＥＤを用いている。白色ＬＥＤは、白色の光を放射するように設計されている。しかしながら、実際には、白色ＬＥＤは、白色に対してわずかに色がついた光を放射している。そして、白色に対してついている色は、製造ばらつきにより、白色ＬＥＤ毎に異なっている。すなわち、白色ＬＥＤでは、製造ばらつきにより、放射する光の成分にばらつきが存在する。以下では、導光体５１６ａに対応する白色ＬＥＤ（以下、第１のＬＥＤと称す）が赤色を帯びた白色光を放射し、導光体５１６ｂに対応する白色ＬＥＤ（以下、第２のＬＥＤと称す）が青色を帯びた白色光を放射するものとする。
【０００７】
図９において、ミラー５０８とミラー５１０とがこれらの鏡面が直交するように配置されている場合には、原稿Ｐの右側及び左側のいずれを読み取っているときであっても、ミラー５０６の位置ｐ０にて反射した光がラインセンサ５１４に入射する。そのため、原稿Ｐの右側及び左側のいずれを読み取っている場合であっても、原稿Ｐの読み取り位置ｐ４，ｐ５と第１のＬＥＤ及び第２のＬＥＤとの位置関係が変化しない。よって、ラインセンサ５１４に入射する光に含まれている第１のＬＥＤが放射した光と第２のＬＥＤが放射した光との割合は変化しない。この場合には、画像読み取り装置５００が読み取った画像に色むらが発生することはない。
【０００８】
しかしながら、ミラー５０８とミラー５１０とがこれらの鏡面が直交する状態からずれた状態で配置されている場合には、原稿Ｐの右側を読み取っているときには、ミラー５０６の位置ｐ１にて反射した光がラインセンサ５１４に入射する。一方、原稿Ｐの左側を読み取っているときには、位置ｐ１よりも下側に位置するミラー５０６の位置ｐ２にて反射した光がラインセンサ５１４に入射する。すなわち、原稿Ｐの右側及び左側を読み取る場合に、原稿Ｐの読み取り位置ｐ３，ｐ５と第１のＬＥＤ及び第２のＬＥＤとの位置関係が変化する。よって、ラインセンサ５１４に入射する光に含まれている第１のＬＥＤが放射した光と第２のＬＥＤが放射した光との割合が変化する。具体的には、位置ｐ３は、位置ｐ４よりも右側に位置している。そのため、位置ｐ３では位置ｐ４，ｐ５よりも、赤色を帯びた白色光が多く照射される。そのため、位置ｐ３における画像は、位置ｐ５における画像に比べて赤色を帯びてしまう。すなわち、画像読み取り装置５００が読み取った画像に色むらが発生してしまう。
【先行技術文献】
【特許文献】
【０００９】
【特許文献１】特開２００８−２７１００９号公報
【発明の概要】
【発明が解決しようとする課題】
【００１０】
そこで、本発明の目的は、読み取った画像に色むらが発生することを抑制できる画像読み取り装置を提供することである。
【課題を解決するための手段】
【００１１】
本発明の一形態に係る画像読み取り装置は、原稿に対して光を照射する光源装置を有している画像読み取り装置であって、前記光源装置は、第１の光源及び第２の光源と、前記第１の光源及び前記第２の光源を覆い、かつ、内周面に鏡面が施されており、前記第１の光源が放射した第１の光と前記第２の光源が放射した第２の光とを合成して第３の光を生成する筐体と、前記筐体に取り付けられ、所定方向に延在している第１の導光体であって、該第１の導光体の一方の端部から入射してくる前記第３の光を前記原稿に対して照射する第１の導光体と、前記筐体に取り付けられ、前記所定方向に延在している第２の導光体であって、該第２の導光体の一方の端部から入射してくる前記第３の光を前記原稿に対して照射する第２の導光体と、を備えており、前記第１の光源は、前記原稿の法線方向から平面視したときに、前記第１の導光体と前記第２の導光体との中間に位置する中間線に対して対称に前記第１の光を放射し、前記第２の光源は、前記原稿の法線方向から平面視したときに、前記中間線に対して対称に前記第２の光を放射し、前記第１の導光体に入射する前記第３の光の成分及び光の量と、前記第２の導光体に入射する前記第３の光の成分及び光の量とは等しいこと、を特徴とする。
【発明の効果】
【００１２】
本発明によれば、読み取った画像に色むらが発生することを抑制できる
【図面の簡単な説明】
【００１３】
【図１】本発明の一実施形態に係る画像読み取り装置の構成図である。
【図２】本発明の一実施形態に係る光源装置の構成図である。
【図３】第１の変形例に係る光源装置の構成図である。
【図４】第２の変形例に係る光源装置の構成図である。
【図５】第３の変形例に係る光源装置の構成図である。
【図６】第４の変形例に係る光源装置の構成図である。
【図７】第５の変形例に係る光源装置の構成図である。
【図８】特許文献１に記載の画像読み取り装置の構成図である。
【図９】特許文献１に記載の画像読み取り装置にて発生する問題を説明するための説明図である。
【発明を実施するための形態】
【００１４】
以下に、本発明の一実施形態に係る画像読み取り装置について図面を参照しながら説明する。
【００１５】
（画像読み取り装置の構成）
図１は、本発明の一実施形態に係る画像読み取り装置１０の構成図である。図２は、本発明の一実施形態に係る光源装置２７の構成図である。以下では、鉛直方向をｚ軸方向と定義し、第１スライダーユニット１８及び第２スライダーユニット２０の移動方向をｘ軸方向と定義する。そして、ｘ軸方向及びｚ軸方向に直交する方向をｙ軸方向と定義する。
【００１６】
画像読み取り装置１０は、図１に示すように、本体１２、原稿カバー１４、プラテンガラス１６、第１スライダーユニット１８、第２スライダーユニット２０、結像レンズ２２、撮像素子２４、光源装置２７及びミラー２９，３０，３２を備えている。
【００１７】
本体１２は、原稿カバー１４、プラテンガラス１６、第１スライダーユニット１８、第２スライダーユニット２０、結像レンズ２２、撮像素子２４、光源装置２７及びミラー２９，３０，３２が取り付けられる直方体状の筐体である。プラテンガラス１６は、本体１２のｚ軸方向の正方向側に設けられている開口に取り付けられている長方形状の透明板である。原稿Ｐは、プラテンガラス１６の上面に、読み取り面をｚ軸方向の負方向側に向けた状態で載置される。
【００１８】
原稿カバー１４は、図１に示すように、原稿Ｐ上に覆いかぶさることにより、原稿Ｐをプラテンガラス１６に密着させる働きをする。
【００１９】
光源装置２７は、原稿Ｐに対して光Ｂ３ａ，Ｂ３ｂを２方向から照射し、図２に示すように、導光体２８ａ，２８ｂ、ＬＥＤ４０ａ，４０ｂ、基板４２及び筐体（合成手段）４４を備えている。ＬＥＤ４０ａ，４０ｂは、白色光（以下では、光Ｂ１，Ｂ２と称す）を放射する半導体素子である。基板４２は、主面Ｓ１，Ｓ２を有しており、ＬＥＤ４０ａ，４０ｂを駆動するための回路を内蔵している。基板４２は、図２に示すように，ｙ軸方向に対して垂直に設けられている。このとき、主面Ｓ１は、主面Ｓ２よりもｙ軸方向の正方向側に位置している。ＬＥＤ４０ａ，４０ｂはそれぞれ、主面Ｓ１，Ｓ２に実装されている。
【００２０】
筐体４４は、ＬＥＤ４０ａ，４０ｂ及び基板４２の周囲を覆っており、かつ、内周面に鏡面が施されている。筐体４４は、ＬＥＤ４０ａ，４０ｂが放射した光Ｂ１，Ｂ２を内周面において反射させて、光Ｂ１，Ｂ２が合成された光Ｂ３を生成する。光Ｂ３は、光Ｂ１，Ｂ２が一定の割合で合成された光である。
【００２１】
導光体２８ａは、ｙ軸方向に延在している円柱状をなす透明な樹脂部材である。導光体２８ａのｙ軸方向の負方向側の端部は、筐体４４に設けられている開口に取り付けられている。これにより、筐体４４が生成した光Ｂ３は、導光体２８ａのｙ軸方向の負方向側の端部から入射する。そして、導光体２８ａは、その表面に形成されたプリズムにより、光Ｂ３を原稿Ｐに対して照射する。以下では、導光体２８ａが照射する光Ｂ３を光Ｂ３ａと呼ぶ。光Ｂ３ａは、原稿Ｐの読み取り面において拡散反射する。以下では、原稿Ｐにおいて反射した光を光Ｂ４と呼ぶ。
【００２２】
導光体２８ｂは、ｙ軸方向に延在している円柱状をなす透明な樹脂部材である。導光体２８ｂは、導光体２８ａのｘ軸方向の負方向側において、導光体２８ａに対して平行となるように設けられている。導光体２８ｂのｙ軸方向の負方向側の端部は、筐体４４に設けられている開口に取り付けられている。これにより、筐体４４が生成した光Ｂ３は、導光体２８ｂのｙ軸方向の負方向側の端部から入射する。そして、導光体２８ｂは、その表面に形成されたプリズムにより、光Ｂ３を原稿Ｐに対して照射する。以下では、導光体２８ｂが照射する光Ｂ３を光Ｂ３ｂと呼ぶ。光Ｂ３ｂは、原稿Ｐの読み取り面において拡散反射する。以上のような構成を有する光源装置２７は、２方向から光Ｂ３ａ，Ｂ３ｂを原稿Ｐに対して照射する。
【００２３】
ところで、光源装置２７では、導光体２８ａが原稿Ｐを照射する光Ｂ３ａの成分及び量と、導光体２８ｂが原稿Ｐを照射する光Ｂ３ｂの成分及び量とが等しくなる構成を有している。以下に、かかる構成について図２を参照しながら説明する。
【００２４】
図２において、導光体２８ａ，２８ｂは、ｙ軸方向に延在している。そして、導光体２８ａ，２８ｂの中間に位置する線を中間線Ｌ１と定義する。ＬＥＤ４０ａは、ｚ軸方向（原稿Ｐの法線方向）から平面視したときに、中間線Ｌ１に対して対称に光Ｂ１を放射する。同様に、ＬＥＤ４０ｂは、ｚ軸方向（原稿Ｐの法線方向）から平面視したときに、中間線Ｌ１に対して対称に光Ｂ２を放射する。更に、筐体４４は、ｚ軸方向から平面視したときに、中間線Ｌ１に関して対称な構造を有している。これにより、中間線Ｌ１よりもｘ軸方向の正方向側と、中間線Ｌ１よりもｘ軸方向の負方向側との両方において、光Ｂ１，Ｂ２が同じ割合で合成された光Ｂ３が同じ量だけ生成されるようになる。また、導光体２８ａと導光体２８ｂとは、中間線Ｌ１に関して対称に設けられている。これにより、導光体２８ａ，２８ｂのそれぞれには、同じ成分を有する光Ｂ３が同じ量だけ入射するようになる。以上より、導光体２８ａが原稿Ｐを照射する光Ｂ３ａの成分及び量と、導光体２８ｂが原稿Ｐを照射する光Ｂ３ｂの成分及び量とが等しくなる。
【００２５】
ミラー２９は、図１に示すように、原稿Ｐにおいて反射した光Ｂ４をｘ軸方向の負方向側に反射させる。ミラー３０は、ミラー２９からの光Ｂ４をｚ軸方向の負方向側に反射させる。ミラー３２は、ミラー３０からの光Ｂ４をｘ軸方向の正方向側に反射させる。
【００２６】
ここで、光源装置２７及びミラー２９は、図１に示すように第１スライダーユニット１８に搭載されている。第１スライダーユニット１８は、原稿Ｐが読み取られているときには、図１に示すように、プラテンガラス１６の下面に沿って、図示しないモーター、ベルト及びプーリー等の移動手段により、ｘ軸方向の正方向側に向かって速度Ｖで移動させられる。
【００２７】
また、ミラー３０，３２は、図１に示すように第２スライダーユニット２０に搭載されている。第２スライダーユニット２０は、原稿Ｐが読み取られているときには、図１に示すように、プラテンガラス１６の下面の下方において、図示しないモーター、ベルト及びプーリー等の移動手段により、ｘ軸方向の正方向側に向かって速度Ｖ／２で移動させられる。これにより、移動中における原稿Ｐの読み取り面と撮像素子２４との間の光Ｂ４の経路の長さが一定となる。
【００２８】
結像レンズ２２は、光Ｂ４によって得られる光学像を撮像素子２４に結像させる。撮像素子２４は、原稿Ｐで反射した光Ｂ４を受光する受光素子である。具体的には、撮像素子２４は、ｙ軸方向に延びる一次元状の撮像領域を有し、結像レンズ２２によって結像された光学像を走査して原稿Ｐの像を読み取るＣＣＤカメラ等のラインセンサである。
【００２９】
以上のように構成された画像読み取り装置１０において、原稿Ｐが読み取られる場合には、導光体２８ａ，２８ｂによって導光された光Ｂ３ａ，Ｂ３ｂが原稿Ｐに照射され、原稿Ｐにおいて反射した光Ｂ４がミラー２９，３０，３２によって順次反射される。そして、ミラー３２で反射された光Ｂ４は、結像レンズ２２に入射し、結像レンズ２２により撮像素子２４上で結像される。撮像素子２４は、画素毎に入射光の強さに応じて光電変換を行い、これによって原稿画像に対応した画像信号（ＲＧＢ信号）を生成し、制御部（図示せず）に出力する。
【００３０】
（効果）
以上の画像読み取り装置１０によれば、読み取った画像に色むらが発生することを抑制できる。より詳細には、ミラー５０８とミラー５１０とがこれらの鏡面が直交する状態からずれた状態で配置されている場合には、原稿Ｐの右側を読み取っているときには、ミラー５０６の位置ｐ１にて反射した光がラインセンサ５１４に入射する。一方、原稿Ｐの左側を読み取っているときには、位置ｐ１よりも下側に位置するミラー５０６の位置ｐ２にて反射した光がラインセンサ５１４に入射する。すなわち、原稿Ｐの右側及び左側を読み取る場合に、原稿Ｐの読み取り位置ｐ３，ｐ５と第１のＬＥＤ及び第２のＬＥＤとの位置関係が変化する。よって、ラインセンサ５１４に入射する光に含まれている第１のＬＥＤが放射した光と第２のＬＥＤが放射した光との割合が変化する。具体的には、位置ｐ３は、位置ｐ４よりも右側に位置している。そのため、位置ｐ３では位置ｐ４，ｐ５よりも、赤色を帯びた白色光が多く照射される。そのため、位置ｐ３における画像は、位置ｐ５における画像に比べて赤色を帯びてしまう。すなわち、画像読み取り装置５００が読み取った画像に色むらが発生してしまう。
【００３１】
一方、画像読み取り装置１０では、筐体４４は、ＬＥＤ４０ａ，４０ｂが放射した光Ｂ１，Ｂ２を合成して光Ｂ３を生成し、光Ｂ３を導光体２８ａ，２８ｂに入射させる。すなわち、導光体２８ａ，２８ｂに入射する光Ｂ３はそれぞれ同じ成分を有している。よって、ＬＥＤ４０ａ，４０ｂが放射した光Ｂ１，Ｂ２の成分が異なっていたとしても、導光体２８ａ，２８ｂが原稿Ｐに照射する光Ｂ３ａ，Ｂ３ｂの成分は同じである。そのため、画像読み取り装置１０において、図９と同様に、ミラー３０が傾いた場合に、原稿Ｐの読み取り位置が変化しても、原稿Ｐに照射される光Ｂ３ａ，Ｂ３ｂの成分が変化しない。その結果、画像読み取り装置１０では、読み取った画像に色むらが発生することが抑制される。
【００３２】
また、画像読み取り装置１０において、ＬＥＤ４０ａは、ｚ軸方向から平面視したときに、中間線Ｌ１に対して対称に光Ｂ１を放射する。同様に、ＬＥＤ４０ｂは、ｚ軸方向から平面視したときに、中間線Ｌ１に対して対称に光Ｂ２を放射する。更に、筐体４４は、ｚ軸方向から平面視したときに、中間線Ｌ１に関して対称な構造を有している。これにより、中間線Ｌ１よりもｘ軸方向の正方向側と、中間線Ｌ１よりもｘ軸方向の負方向側との両方において、光Ｂ１，Ｂ２が同じ割合で合成された光Ｂ３が同じ量だけ生成されるようになる。そのため、導光体２８ａ，２８ｂのそれぞれには、同じ成分を有する光Ｂ３が入射するようになる。よって、画像読み取り装置１０では、読み取った画像に色むらが発生することをより効果的に抑制できる。
【００３３】
（第１の変形例）
以下に、第１の変形例に係る光源装置２７ａについて説明する。図３は、第１の変形例に係る光源装置２７ａの構成図である。
【００３４】
第１の変形例に係る光源装置２７ａは、２つの基板４２ａ，４２ｂを備えている。ＬＥＤ４０ａは、基板４２ａの表面に実装され、ＬＥＤ４０ｂは、基板４２ｂの表面に実装されている。そして、基板４２ａ，４２ｂは、基板４２ａの裏面と基板４２ｂの裏面とが対向するように設けられている。以上のような構成を有する光源装置２７ａを備えた画像読み取り装置１０においても、光源装置２７を備えた画像読み取り装置１０と同様に、読み取った画像に色むらが発生することを抑制できる。
【００３５】
次に、第２の変形例に係る光源装置２７ｂについて説明する。図４は、第２の変形例に係る光源装置２７ｂの構成図である。
【００３６】
光源装置２７ｂは、光源装置２７ａに対して、放熱部材４３を更に備えている。放熱部材４３は、基板４２ａの裏面と基板４２ｂの裏面との間に設けられており、ＬＥＤ４０ａ，４０ｂ及び基板４２ａ，４２ｂが発生する熱を放射する役割を果たす。以上のような構成を有する光源装置２７ｂを備えた画像読み取り装置１０においても、光源装置２７を備えた画像読み取り装置１０と同様に、読み取った画像に色むらが発生することを抑制できる。
【００３７】
次に、第３の変形例に係る光源装置２７ｃについて説明する。図５は、第３の変形例に係る光源装置２７ｃの構成図である。
【００３８】
光源装置２７ｃの導光体２８ａ，２８ｂの形状と、光源装置２７の導光体２８ａ，２８ｂの形状とは異なっている。より詳細には，光源装置２７の導光体２８ａ，２８ｂは、線状をなしているのに対して、光源装置２７ｃの導光体２８ａ，２８ｂは、Ｌ字型をなしている。このように、導光体２８ａ，２８ｂの形状は、線状に限らない。
【００３９】
次に、第４の変形例に係る光源装置２７ｄについて説明する。図６は，第４の変形例に係る光源装置２７ｄの構成図である。
【００４０】
光源装置２７ｄの導光体２８ａ，２８ｂの形状と、光源装置２７の導光体２８ａ，２８ｂの形状とは異なっている。より詳細には，光源装置２７ｄの導光体２８ａ，２８ｂには、突起が設けられている。そして、光Ｂ３は、該突起を介して導光体２８ａ，２８ｂに入射する。このように、導光体２８ａ，２８ｂに突起が設けられることにより、導光体２８ａ，２８ｂに入射する光Ｂ３の量を多くすることができる。
【００４１】
次に、第５の変形例に係る光源装置２７ｅについて説明する。図７は、第５の変形例に係る光源装置２７ｅの構成図である。
【００４２】
光源装置２７ｅは、１本の導光体２８しか設けられていない。そこで、光源装置２７ｅが画像読み取り装置１０に用いられた場合には、ミラーを用いることが好ましい。具体的には、図１において、導光体２８ａが設けられている位置に導光体２８を設け、導光体２８ｂが設けられている位置にミラーを設ける。そして、導光体２８は、原稿Ｐに対して光Ｂ３を直接に照射すると共に、原稿Ｐに対してミラーを介して光Ｂ３を照射する。これにより、１本の導光体２８であっても、２方向から原稿Ｐに対して光Ｂ３を照射することが可能となる。
【００４３】
なお、光源装置２７，２７ａ〜２７ｅにおいて、ＬＥＤ４０ａ，４０ｂを用いるとしたが、ＬＥＤ以外の光源が用いられてもよい。ＬＥＤ以外の光源としては例えば、蛍光管や有機ＥＬが挙げられる。
【００４４】
なお、基板４２，４２ａ，４２ｂは、ＬＥＤ４０ａ，４０ｂを駆動するための回路（駆動回路）を内蔵しているとした。しかしながら、駆動回路は、基板４２，４２ａ，４２ｂに接続され、かつ、光源装置２７，２７ａ〜２７ｅ外に設けられている基板に設けられていてもよい。
【００４５】
なお、光源装置２７，２７ａ〜２７ｄでは、導光体２８ａ，２８ｂのそれぞれには、同じ成分を有する光Ｂ３が同じ量だけ入射するものとしている。しかしながら、光源装置２７，２７ａ〜２７ｄにおいて、導光体２８ａ，２８ｂのそれぞれには、同じ成分を有する光Ｂ３が異なる量で入射してもよい。
【産業上の利用可能性】
【００４６】
本発明は、画像読み取り装置に有用であり、特に、読み取った画像に色むらが発生することを抑制できる点において優れている。
【符号の説明】
【００４７】
Ｐ 原稿
１０  画像読み取り装置
１２  本体
１４  原稿カバー
１６  プラテンガラス
１８  第１スライダーユニット
２０  第２スライダーユニット
２２  結像レンズ
２４  撮像素子
２７，２７ａ〜２７ｅ  光源装置
２８，２８ａ，２８ｂ  導光体
２９，３０，３２  ミラー
４０ａ，４０ｂ  ＬＥＤ
４２，４２ａ，４２ｂ  基板
４３  放熱部材
４４  筐体
【図１】
0005565065.tif 000002
【図２】
0005565065.tif 000003
【図３】
0005565065.tif 000004
【図４】
0005565065.tif 000005
【図５】
0005565065.tif 000006
【図６】
0005565065.tif 000007
【図７】
0005565065.tif 000008
【図８】
0005565065.tif 000009
【図９】
0005565065.tif 000010